(57)【要約】【課題】棚板の調整が簡単で便利に行える棚受けの固定構造を提供する。【解決手段】ラックの支柱３０の組み合わせる面３１に縦向き槽３２が開けられていて、その両側には、多数の対になったはめ込み槽３３が設けられている。さらに、縦向き槽３２の上下にやや大きいサイズの差し入れ口としての挿入槽３５がある。棚受け４０の挿入部分の上段には、はめ込み導入部分４２があって、そのはめ込み導入部分４２の両側には、側面に沿ってあたって固定する部分４３が伸びていて、その幅は前述のはめ込み槽３３及び差し入れ口としての挿入槽３５の間である。また、棚受け４０の挿入部分の両側には、はめ込み固定部分４４があって、その二つのはめ込み固定部分４４の間隔は前述のはめ込み槽３３の幅に等しい。【選択図】図５
0003124717.tif 000002
【実用新案登録請求の範囲】
【請求項１】
あらかじめ作製した支柱に棚受けを挿入して組み立て、棚受けによって棚板を支えることにより、ラックの基本的な機能が構成され、
支柱は、矩形の中が空洞になった棒状であり、支柱の前部は組み合わせる面であって、縦向き槽が開いており、前記縦向き槽の両側には規格通りに多数のはめ込み槽が対になって設けられており、縦向き槽の上下の決まった位置には、それぞれややサイズの大きい差し入れ口としての挿入槽があって、棚受けが差し入れ口としての挿入槽から挿入されて、支柱の縦向き槽内に組み立てられ、適切なはめ込み槽が選択されて棚受けが挿入され組み立てられて固定され、
棚受けは、挿入部分上段にはめ込み導入部分が折り畳んだ形で伸びており、前記はめ込み導入部分及び棚受け側面は、折りたたんだ形で成型されており、適度の落差があり、はめ込み導入部分のサイズは概ね前記支柱の縦向き槽の幅に等しく、はめ込み導入部分は、両側に向かって側面にあたって固定する部分が伸びており、その幅は前記はめ込み槽と差し入れ口としての挿入槽との間であり、棚受けの挿入部分の下段に近い位置に両側にはめ込み固定部分が設けられており、二つの前記はめ込み固定部分の間隔は前記はめ込み槽に等しく、
支柱の上下に設けられた差し入れ口としての挿入槽を利用し、棚受けのはめ込み導入部分が挿入されると、縦向き槽内に制限され、導かれて、安定した昇降移動による調整を可能にし、適切な位置のはめ込み槽が選択され、棚受けのはめ込み固定部分が挿入され、はめ込まれると、棚受けと支柱とを挿入組み立てて固定する構造が維持され、棚板の間隔を調整する場合は、棚受けをやや上に持ち上げて、はめ込み固定部分を支柱のはめ込み槽から離脱させて挿入固定関係をはずし、棚受けは、縦向き槽に導かれて安定した移動をして調整が行え、調整の過程において、棚受けは、支柱の縦向き槽から離脱させる必要がなく、操作が簡単且つ便利であるということを特徴とする棚受けの固定構造。
【請求項２】
支柱の縦向き槽と両側に延びたはめ込み槽とが接続する面の上下の縁には、突起はめ込み部分が伸びており、棚受けのはめ込み固定部分に対して、適切に位置を固定する効果があり、棚受けが偏ったり、ぐらついたりすることがなく、棚受けと支柱との挿入組み立て構造を堅固にするという効果があることを特徴とする請求項１に記載の棚受けの固定構造。
【請求項３】
支柱の差し入れ口としての挿入槽の上下の位置にそれぞれ三組または四組のはめ込み槽が設けられることを特徴とする請求項１に記載の棚受けの固定構造。
【請求項４】
支柱後部の壁側取り付け面には、数個のネジ穴が開けられており、必要に応じてネジでしっかりと壁やドアに取り付け可能であることを特徴とする請求項１に記載の棚受けの固定構造。
【請求項５】
棚受けの縁には適当な数量のはめ込み槽があって、棚板を載せて固定することを特徴とする請求項１に記載の棚受けの固定構造。
【請求項６】
支柱が金属製の矩形の中が空洞になった棒状であり、棚受けが金属片材をプレスして成型されることを特徴とする請求項１に記載の棚受けの固定構造。
【考案の詳細な説明】
【技術分野】
【０００１】
本考案は棚受けの固定構造に関する。本考案の棚受けの固定構造は、棚受けの支柱の縦向き槽の両側にあるはめ込み槽及び挿入槽があることと、棚受けの挿入部分にあるはめ込み導入部分のあたって固定する部分及びはめ込み固定部分の設計により、棚受けを縦向き槽が導くことで適当な位置に調整することが可能である。また、簡単にはめ込んで固定することができる。したがって、棚受けの数を増減したり、距離を調整したりすることが簡単に行えるという特長を持つ。
【背景技術】
【０００２】
商品展示や家庭内の収納に使用される棚の構造は、一般に、あらかじめ支柱を取り付け、そこに棚受けを挿入して組み合わせ、棚板を置いて使用するようになっている。棚受けを利用して支柱が棚板を支えることで、棚板の上に物を置いた時に安定するようになっている。同時に、支柱に取り付けた棚受けを調整することで棚板の距離を調整して、必要な空間を確保するようになっている。
【０００３】
従来のラックの支柱と棚受けとの組み合わせ構造は、図１及び図２を参照いただきたい。支柱１０には縦向きに等間隔で多数の挿入槽１１が配列されている。棚受け２０の挿入組立部分の上の縁には対になった差し込み部分２１があって、差し込み部分２１と棚受け２０の接続面の下部には、はめ込み槽２２が設けられている。棚受け２０の支柱に取り付ける挿入部分の差し込み部分のやや下方には対になった突起したはめ込み固定部分２３があって、差し込み部分２１とはめ込み固定部分２３との距離は支柱１０の挿入槽１１の距離に等しい。棚受け２０の挿入組立部分の差し込み部分２１を支柱１０の挿入槽１１内に挿入し、さらに、棚受け２０をやや下に押して、その下端のはめ込み固定部分２３を下方の挿入槽１１’内に挿入する。同時に、差し込み部分２１下部のはめ込み槽２２を挿入槽１１の下部にはめ込んで固定することで、棚受け２０と支柱１０との組立が完了する。そして、棚受け２０に棚板（図示されていない）を置いて使用する。棚板の距離を調整する場合は、棚受け２０を支柱１０から抜いて、必要に応じて適当な位置の挿入槽１１に再度挿入して組み立てればよい。
【考案の開示】
【考案が解決しようとする課題】
【０００４】
従来のラックの支柱と棚受けの組立構造は非常に簡単であるが、それは単純に挿入組立構造に過ぎない。棚板の位置を調整するには、棚受けを支柱の挿入槽から完全に抜いて、適当な位置の挿入槽に再度挿入して取り付けなければならない。これは、作業上、かなり面倒で不便であり、理想的な設計とは言えない。
また、棚受けと支柱とは、単純に挿入して固定する方法をとっている。ただ一方方向に挿入して固定するため、明らかに安定性に欠ける。棚の上の物が重い時、棚受けが変形して、場合によっては、棚受けの挿入組立部分が変形のために支柱から離脱し、棚の上の物が落下するという状況も発生する。
【課題を解決するための手段】
【０００５】
本考案の棚受けの固定構造は、ラックの支柱の組み合わせる面に縦向き槽が開けられていて、その両側には、多数の対になったはめ込み槽が設けられている。さらに、縦向き槽の上下にやや大きいサイズの差し入れ口としての挿入槽がある。棚受けの挿入部分の上段には、はめ込み導入部分があって、そのはめ込み導入部分の両側には、側面に沿ってあたって固定する部分が伸びていて、その幅は前述のはめ込み槽及び差し入れ口としての挿入槽の間である。また、棚受けの挿入部分の両側には、はめ込み固定部分があって、その二つのはめ込み固定部分の間隔は前述のはめ込み槽の幅に等しい。支柱上下段にある差し入れ口としての挿入槽に棚受けのはめ込み導入部分が挿入できるようになっていることと、縦向き槽による固定と導入により、安定したスライド移動で位置を調整することができる。位置の選択が可能なはめ込み槽に、棚受けのはめ込み固定部分がはめ込んで固定されることにより、棚受けと支柱との組み立てが行われる。棚受けの位置を調整する場合は、棚受けを少し上に押し上げると、はめ込み固定部分がはめ込み槽から離脱し、棚受けが縦向き槽の導入によって適当な位置に調整できる。その調整の過程において、棚受けは全く支柱から取り外す必要がないため、より簡単で便利に使用でき、従来の棚受けの構造に存在するいくつかの欠点を解決することができる。
【考案を実施するための最良の形態】
【０００６】
図３、図４、及び図１１は構造の斜視図である。図５及び図１０は部分斜視図である。図６から図９は構造の関係を示した模式図で、本考案の一実施例である。本考案の一実施例による棚受けの固定構造は、支柱３０に棚受け４０を挿入して組み立てるようになっている。さらに、棚受け４０によって棚板（図示されていない）を支えるようになっている。このようにして、ラックの基本的な機能を構成している。
【０００７】
支柱３０は、金属製の矩形の中が空洞になった棒状をしている。支柱３０の前部は組み合わせる面３１で、縦向き槽３２が開いている。この縦向き槽３２の両側には規格通りに多数のはめ込み槽３３が対になって設けられている。このはめ込み槽３３と縦向き槽３２が接続する面の上下の縁には、突起はめ込み部分３４が伸びている。また、縦向き槽３２の上下の決まった位置には、それぞれややサイズの大きい差し入れ口としての挿入槽３５があって、その差し入れ口としての挿入槽３５には、その上下の位置にそれぞれ三、四組のはめ込み槽３３が設けられている。また、支柱３０後部の壁側取り付け面３６には、数個のネジ穴３７が開けられていて、必要に応じてネジ３８でしっかりと壁やドアに取り付けられるようになっている。
【０００８】
棚受け４０は、金属片材をプレスして成型されている。その縁には適当な数量のはめ込み槽４１があって、棚板を載せるようになっている。棚受け４０の挿入部分上段には、はめ込み導入部分４２が折り畳んだ形で伸びている。このはめ込み導入部分４２と棚受け４０側面は、折りたたんだ形で成型されていて、適度の落差がある。はめ込み導入部分４２のサイズは概ね前述の支柱３０の縦向き槽３２の幅に等しい。はめ込み導入部分４２は、両側に向かって側面にあたって固定する部分４３が伸びていて、その幅は前述のはめ込み槽３３と差し入れ口としての挿入槽３５との間である。また、棚受け４０の挿入部分の下段に近い位置に、両側に、はめ込み固定部分４４が設けられている。この二つのはめ込み固定部分４４の間隔は、前述のはめ込み槽３３に等しい。
【０００９】
上述の構造により組み立てを行う。棚受け４０を支柱３０に挿入し組み立てる際は、支柱３０の上下に設けてある大きなサイズの差し入れ口としての挿入槽３５を利用して、棚受け４０のはめ込み導入部分４２の両側にあるあたって固定する部分４３を挿入する。その後、棚受け４０はスムーズに上下にスライド移動させることができる。あたって固定する部分４３と支柱３０の縦向き槽３２両側とを利用し、はめ込んで固定するという機能を形成する。はめ込み導入部分４２は、縦向き槽３２内に制限され、棚受け４０に縦向き槽３２内を移動させ、導かれて安定した昇降移動による調整を可能にする。適切な位置のはめ込み槽３３を選択し、棚受け４０のはめ込み固定部分４４を挿入し、はめ込むことで、棚受け４０と支柱３０とを挿入組み立てて固定する構造を維持する。はめ込み槽３３と縦向き槽３２の接続面の上下の縁にある突起はめ込み部分３４は、棚受け３０のはめ込み固定部分４４に対応して適切に固定するため、偏ったり、ぐらついたりすることがない。さらに、棚受け４０上端のはめ込み導入部分４２両側のあたって固定する部分４３の内側が当たることと、下段のはめ込み固定部分４４の外側が挿入されて固定されることにより、内外から二重に固定するという効果を持つ。したがって、全体の挿入組み立て構造の関係が安定し、外的な力により変形しにくく、離脱しにくいという特長を持つ。
【００１０】
棚板の間隔を調整する場合は、棚受け４０をやや上に持ち上げて、はめ込み固定部分４４を支柱３０のはめ込み槽３３から離脱させて、挿入固定関係をはずす。しかしながら、棚受け４０のはめ込み導入部分４２両側の、あたって固定する部分４３は、依然として支柱３０の縦向き槽３２両側に制限されていて、棚受け４０は、縦向き槽３２に導かれて安定した移動をして、調整が行える。さらに、調整の過程において、棚受け４０は、支柱３０の縦向き槽３２から離脱させる必要がなく、ただ簡単にスライド移動させて棚受け４０を適当な位置に移動させればよい。そして、その下部のはめ込み固定部分４４を必要なはめ込み槽３３に挿入すれば、速やかに棚受け４０と支柱３０との相対関係において調整及び固定が完了する。このようにして、ラックは必要に応じて棚板の間隔を調整することができる。
【００１１】
図１２及び図１３は、本考案の一実施例を実行した参考図である。支柱３０の縦向き槽３２、両側のはめ込み槽３３、及び差し入れ口としての挿入槽３５があることで、棚受け４０は簡単に挿入して取り付け、固定することができる。そして、棚受け４０と支柱３０とを簡単にしっかりと固定させることができる。さらに、棚受け４０が支柱３０の縦向き槽３２に導かれることで、安定した上下のスライド移動による棚板５０の間隔の調整が可能である。実際に運用する場合は、数本の支柱３０を平行に壁面に縦に固定する。二本の支柱３０の間には、棚受け４０を取り付けて棚板５０を置いて使用する以外に、引き出し式ラック６０を取り付けて収納し、多機能のラック（図１２参照）として利用することも可能である。あるいは、支柱３０の両側に固定フック７０を追加して、ドア板７１の後部に取り付ければ、また別の形式のラック（図１３参照）として使用できる。
【００１２】
このように、本考案の一実施例による棚受けの固定構造は、ラックの支柱にある、縦向き槽、両側にあるはめ込み槽、及び差し入れ口としての挿入槽があること、棚受けの挿入部分のはめ込み導入部分のあたって固定する部分及びはめ込み固定部分があることにより、棚受けがその縦向き槽に導かれてスライド移動し、簡単にはめ込み、固定することができる。したがって、棚受けの数の増減及び間隔の調整も簡単且つ便利に行える。さらに、棚受けの位置を調整する場合は、棚受けを支柱から離脱させる必要がないため、操作が極めて簡単で、安定した操作が行える。また、内外両面からの二重の固定効果が得られ、棚受けと支柱の挿入、組み立て構造が堅固になり、安定性が大幅にアップするという効果がある。したがって、従来の棚受けの固定構造によって生じる諸問題を効果的に解決することができる。
【００１３】
（考案の効果）
本考案の棚受けの固定構造は、棚板の間隔を調整する際に、棚板を支柱から完全に離脱させる必要がない。簡単にスライドさせるだけで、間隔を調整し固定することが可能である。したがって、棚板の調整が簡単で便利に行えるという効果がある。
また、本考案の棚受けの固定構造は、その棚受けと支柱の挿入組立構造が、二重に固定する機能を持つ。したがって、棚受けと支柱の挿入組立構造における安定性を大幅にアップさせるという効果がある。
【図面の簡単な説明】
【００１４】
【図１】従来の棚受けの構造の分解斜視図である。
【図２】従来の棚受けの構造の模式図である。
【図３】本考案の一実施例による棚受けの固定構造に係る棚受けの斜視図である。
【図４】本考案の一実施例による棚受けの固定構造に係る棚受けの部分斜視図である。
【図５】本考案の一実施例による棚受けの固定構造の分解状態での部分斜視図である。
【図６】本考案の一実施例による棚受けの固定構造において組み立て時の状態を示す模式図である。
【図７】本考案の一実施例による棚受けの固定構造において組み立て時の状態を示す模式図である。
【図８】本考案の一実施例による棚受けの固定構造において棚受けの移動時の状態を示す模式図である。
【図９】本考案の一実施例による棚受けの固定構造において棚受けの固定時の状態を示す模式図である。
【図１０】本考案の一実施例による棚受けの固定構造において棚受けの固定時の状態を示す部分斜視図である。
【図１１】本考案の一実施例による棚受けの固定構造において棚受けを固定時の状態を示す斜視図である。
【図１２】本考案の一実施例を実行した場合の模式図である。
【図１３】本考案の一実施例を実行した場合のもう一つの模式図である。
【符号の説明】
【００１５】
３０  支柱、３１  組み合わせる面、３２  縦向き槽、３３  はめ込み槽、３４  突起はめ込み部分、３５  差し入れ口としての挿入槽、３６  壁側取り付け面、３７  ネジ穴、３８  ネジ、４０  棚受け、４１  はめ込み槽、４２  はめ込み導入部分、４３  あたって固定する部分、４４  はめ込み固定部分、５０  棚板、６０  引き出し式ラック、７０  固定フック、７１  ドア板、７２  ワイヤーバスケット
【図１】
0003124717.tif 000003
【図２】
0003124717.tif 000004
【図３】
0003124717.tif 000005
【図４】
0003124717.tif 000006
【図５】
0003124717.tif 000007
【図６】
0003124717.tif 000008
【図７】
0003124717.tif 000009
【図８】
0003124717.tif 000010
【図９】
0003124717.tif 000011
【図１０】
0003124717.tif 000012
【図１１】
0003124717.tif 000013
【図１２】
0003124717.tif 000014
【図１３】
0003124717.tif 000015